(57)【要約】【課題】  ガイド突起とカム穴との係合状態が、容易に解除されないようにしたディスクカートリッジを得る。【解決手段】  インナロータ２０の円板部７０の下面には、シャッター部材１８の開閉に伴うインナロータ２０の回動範囲内で、シャッター部材１８に形成されたカム溝６６を貫通したカム突起５６の先端部に対面して、インナロータ２０の軸心部を中心とする一対の円弧溝１０２を凹設することで、カム突起５６を長くすることができ、カム突起５６をカム溝６６に完全に貫通（カム突起５６の先端部をシャッター部材１８の裏面１８Ａから突出）させることができる。このため、カム突起５６とカム溝６６との係合深さを増大させることができ、カム溝６６とカム突起５６との係合状態をきつくすることができる。これにより、カム突起５６とカム溝６６との係合状態が、容易に解除されないようにすることができる。【選択図】        図３
2005116116.tif 000002
【特許請求の範囲】
【請求項１】
ドライブ装置に装填され、レーザ光で情報が記録再生されるディスクメディアと、
前記ディスクメディアを回転自在に収納するケースと、
前記ケースに形成され、レーザ光を前記ディスクメディアの記録面へ投光可能とする第１開口部と、
前記ケース内に回転可能に収容され、前記第１開口部と略同一の大きさの第２開口部が形成されたインナロータと、
前記インナロータへ軸で揺動可能に支持され、前記第１開口部及び前記第２開口部を開閉するシャッターと、
前記シャッターに形成されたカム穴と、
前記ケースを構成する下シェルに突設され、前記カム穴を貫通し、前記インナロータの回転動作により、前記軸を中心に前記シャッターを揺動させるガイド突起と、
前記インナロータに形成され、前記カム穴を貫通した前記ガイド突起の先端部との接触を避ける逃げ溝と、
を有することを特徴とするディスクカートリッジ。
【請求項２】
前記ガイド突起の先端部に、前記カム穴の幅よりも大きい抜け止め部が設けられたことを特徴とする請求項１に記載のディスクカートリッジ。
【請求項３】
ドライブ装置に装填され、レーザ光で情報が記録再生されるディスクメディアと、
前記ディスクメディアを回転自在に収納するケースと、
前記ケースに形成され、レーザ光を前記ディスクメディアの記録面へ投光可能とする第１開口部と、
前記ケース内に回転可能に収容され、前記第１開口部と略同一の大きさの第２開口部が形成されたインナロータと、
前記インナロータへ軸で揺動可能に支持され、前記第１開口部及び前記第２開口部を開閉するシャッターと、
前記シャッターに形成されたカム穴と、
前記ケースを構成する下シェルに突設され、前記カム穴を貫通し、前記インナロータの回転動作により、前記軸を中心に前記シャッターを揺動させるガイド突起と、
を備え、
抜き勾配を付けて成形される前記カム穴の幅の狭い方からガイド突起が挿入されたことを特徴とするディスクカートリッジ。
【請求項４】
前記ガイド突起の外周面にシボが形成されたことを特徴とする請求項３に記載のディスクカートリッジ。
【発明の詳細な説明】
【技術分野】
【０００１】
本発明は、ドライブ装置に装填され、情報が記録再生されるディスクメディアが収納されたディスクカートリッジに関するものである。
【背景技術】
【０００２】
ディスクメディアは、記録又は再生を行う際には、ドライブ装置に装填された状態で回転し、光学ピックアップに備えられたレンズによってレーザー光が記録面へ照射されることで、記録面の色素層分解によるピット形成や相変化、磁化等によって情報の記録がなされ、又はレーザー光の反射率や偏光角の相違に基づいて記録された情報の再生が行われるようになっている。
【０００３】
近年、ディスクメディアの高密度化に伴い、ディスクメディアを塵埃から守るためケースを用い、ディスクメディアをケース内に収容可能としている。このケースには第１開口部が切り欠かれており、ケース内に収容されケースに対してスライド可能に設けられた一対のシャッターによって第１開口部を開閉可能としている。このように、シャッターによって第１開口部を開放することで、光ディスクの一部が露出可能となる。
【０００４】
ここで、シャッターを外側から簡単に開くことができないようにするため、ケース内にインナロータを回転自在に収容し、このインナロータの回転に連動してシャッターを開閉させるようにしたディスクカートリッジが提案されている（例えば、特許文献１）。
【０００５】
具体的には、インナロータに第１開口部と略同一の大きさの第２開口部を形成すると共に、シャッターを軸でインナロータへ揺動可能に支持させ、シャッターが第２開口部を開閉可能となるようにしている。
【０００６】
一方、下シェルにはガイド突起が突設しており、このガイド突起が係合可能なカム穴がシャッターに形成されている。そして、インナロータが回転すると、インナロータに連動してシャッターが回転すると共に、ガイド突起を基準にしてカム穴を介してシャッターが軸を中心にインナロータに対して揺動し、第１開口部及び第２開口部を開閉する。
【特許文献１】特開２００３−１１５１８４号公報
【発明の開示】
【発明が解決しようとする課題】
【０００７】
しかしながら、下シェルに突設されたガイド突起の高さは、ガイド突起の先端部がインナロータに接触しない高さとされるため、ガイド突起等の寸法精度等を考慮すると、ガイド突起の先端部をシャッターのインナロータ側の面よりも若干低く設定する必要がある。
【０００８】
このため、カム穴に対するガイド突起の係合状態が甘く、シャッターの閉止状態においてシャッターを手で圧したり、落下等によりディスクカートリッジが衝撃を受けたりすると、ガイド突起がシャッターのカム穴から外れてしまい、シャッターの開閉ができなくなることがある。
【０００９】
一方、成形品を成形する金型では、金型内の成形品を離型しやすくするため、抜き勾配を設ける。例えば、シャッターのカム穴の場合、シャッターの表面側（意匠面側）と裏面側とでは、裏面側の方がカム穴の幅は広くなってしまう。
【００１０】
この状態で、カム穴にガイド突起を係合させると、ガイド突起の基部側がシャッターの裏面側となり、ガイド突起の先端部から基部にかけて、カム穴が幅広となるように抜き勾配が形成されていることとなる。
【００１１】
このため、ガイド突起の先端部が一番きつい状態でカム穴と係合していることとなるが、下シェルとシャッターとが厚み方向でズレたとき、カム穴の一番幅の狭い部分がガイド突起から抜けると、ガイド突起とカム穴との係合が解除されてしまう。
【００１２】
本発明は上記事実を考慮し、ガイド突起とカム穴との係合状態が、容易に解除されないようにしたディスクカートリッジを得ることを目的としている。
【課題を解決するための手段】
【００１３】
請求項１に記載の発明は、ディスクカートリッジにおいて、ドライブ装置に装填され、レーザ光で情報が記録再生されるディスクメディアと、前記ディスクメディアを回転自在に収納するケースと、前記ケースに形成され、レーザ光を前記ディスクメディアの記録面へ投光可能とする第１開口部と、前記ケース内に回転可能に収容され、前記第１開口部と略同一の大きさの第２開口部が形成されたインナロータと、前記インナロータへ軸で揺動可能に支持され、前記第１開口部及び前記第２開口部を開閉するシャッターと、前記シャッターに形成されたカム穴と、前記ケースを構成する下シェルに突設され、前記カム穴を貫通し、前記インナロータの回転動作により、前記軸を中心に前記シャッターを揺動させるガイド突起と、前記インナロータに形成され、前記カム穴を貫通した前記ガイド突起の先端部との接触を避ける逃げ溝と、を有することを特徴としている。
【００１４】
請求項１に記載の発明では、ドライブ装置に装填されレーザ光で情報が記録再生されるディスクメディアを回転自在にケース内に収納している。このケースには第１開口部が形成されており、レーザ光をディスクメディアの記録面へ投光可能としている。
【００１５】
また、ケース内には第１開口部と略同一の大きさの第２開口部が形成されたインナロータが回転可能に収容されている。このインナロータには、シャッターが軸で揺動可能に支持されており、第１開口部及び第２開口部を開閉する。シャッターにはカム穴が形成されており、ケースを構成する下シェルに突設されたガイド突起が貫通している。これにより、インナロータを回転させると、軸を中心にシャッターが揺動する。
【００１６】
ここで、インナロータに逃げ溝を形成し、カム穴を貫通したガイド突起の先端部との接触を避けるようにしている。
【００１７】
このように、ガイド突起の先端部との接触を避ける逃げ溝をインナロータに形成することで、ガイド突起を長くすることができ、カム穴に完全に貫通させることができる。このため、ガイド突起とカム穴との係合深さを増大させることができ、シャッター等の肉厚を変えることなく、カム穴に対してガイド突起を確実に係合させて、係合状態をきつくすることができる。
【００１８】
従って、シャッターの閉止状態においてシャッターを手で圧したり、落下等によりディスクカートリッジが衝撃を受けたりしても、ガイド突起とカム穴との係合状態が、容易に解除されないようにすることができる。
【００１９】
請求項２に記載の発明は、請求項１に記載のディスクカートリッジにおいて、前記ガイド突起の先端部に、前記カム穴の幅よりも大きい抜け止め部が設けられたことを特徴としている。
【００２０】
請求項２に記載の発明では、ガイド突起の先端部に、カム穴の幅よりも大きい抜け止め部を設けることで、抜け止め部をカム穴へ圧入し、抜け止め部がカム穴から抜けないようにして、ガイド突起とカム穴との係合状態をさらにきつくすることができる。
【００２１】
請求項３に記載の発明は、ディスクカートリッジにおいて、ドライブ装置に装填され、レーザ光で情報が記録再生されるディスクメディアと、前記ディスクメディアを回転自在に収納するケースと、前記ケースに形成され、レーザ光を前記ディスクメディアの記録面へ投光可能とする第１開口部と、前記ケース内に回転可能に収容され、前記第１開口部と略同一の大きさの第２開口部が形成されたインナロータと、前記インナロータへ軸で揺動可能に支持され、前記第１開口部及び前記第２開口部を開閉するシャッターと、前記シャッターに形成されたカム穴と、前記ケースを構成する下シェルに突設され、前記カム穴を貫通し、前記インナロータの回転動作により、前記軸を中心に前記シャッターを揺動させるガイド突起と、を備え、抜き勾配を付けて成形される前記カム穴の幅の狭い方からガイド突起が挿入されたことを特徴としている。
【００２２】
請求項３に記載の発明では、抜き勾配を付けて成形されるカム穴の幅の狭い方からガイド突起を挿入している。シャッターを成形する金型のカム穴の内縁部の抜き勾配を考慮し、カム穴の幅の狭い方からガイド突起を挿入することで、ガイド突起の基部側がカム穴の一番幅の狭い部分となる。
【００２３】
このため、下シェルとシャッターとが厚み方向で若干ズレたとしても、カム穴の一番幅の狭い部分がガイド突起からは容易には抜けないので、カム穴とガイド突起との係合状態が解除され難い。
【００２４】
請求項４に記載の発明は、請求項３に記載のディスクカートリッジにおいて、前記ガイド突起の外周面にシボが形成されたことを特徴としている。
【００２５】
請求項４に記載の発明では、ガイド突起の外周面にシボを形成することで、ガイド突起とカム穴との摩擦係数を増大させ、ガイド突起とカム穴との係合状態をきつくすることができ、カム穴からガイド突起をさらに外れ難くすることができる。
【発明の効果】
【００２６】
本発明は、上記構成としたので、請求項１に記載の発明では、ガイド突起の先端部との接触を避ける逃げ溝をインナロータに形成することで、ガイド突起を長くすることができ、カム穴に完全に貫通させることができる。このため、ガイド突起とカム穴との係合長さを増大させることができ、カム穴に対してガイド突起を確実に係合させて、係合状態をきつくすることができる。これにより、シャッター等の肉厚を変えることなく、ガイド突起とカム穴との係合状態が、容易に解除されないようにすることができる。
【００２７】
請求項２に記載の発明では、ガイド突起の先端部に、カム穴の幅よりも大きい抜け止め部を設けることで、抜け止め部をカム穴へ圧入し、抜け止め部がカム穴から抜けないようにして、ガイド突起とカム穴との係合状態をさらにきつくすることができる。
【００２８】
請求項３に記載の発明では、シャッターを成形する金型のカム穴の内縁部の抜き勾配を考慮し、カム穴の幅の狭い方からガイド突起を挿入することで、ガイド突起の基部側がカム穴の一番幅の狭い部分となるため、下シェルとシャッターとが厚み方向で若干ズレたとしても、カム穴の一番幅の狭い部分がガイド突起からは容易には抜けない。このため、カム穴とガイド突起との係合状態が解除され難い。
【００２９】
請求項４に記載の発明では、ガイド突起の外周面にシボを形成することで、ガイド突起とカム穴との摩擦係数を増大させ、ガイド突起とカム穴との係合状態をきつくすることができ、カム穴からガイド突起をさらに外れ難くすることができる。
【発明を実施するための最良の形態】
【００３０】
本発明の実施の形態に係るディスクカートリッジ１０について、図１乃至図９に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００３１】
図１には、ディスクカートリッジ１０の外観形状が斜視図にて示されており、図２にはディスクカートリッジ１０が分解斜視図にて示されている。これらの図に示される如く、ディスクカートリッジ１０は、円盤状に形成された情報記録再生媒体としてのディスクメディア１２と、上シェル２４と下シェル２６とで構成されディスクメディア１２を回転可能に収容するケース１４と、ディスクメディア１２へアクセスするため下シェル２６に形成された開口１６を開閉可能な一対のシャッター部材１８と、ドライブ装置に回動操作されてシャッター部材１８を駆動し開口１６を開閉させるインナロータ２０と、ディスクメディア１２の不使用時にインナロータ２０の回動を阻止し開口１６の閉塞状態を維持するためのロック部材２２と、を主要構成要素として構成されている。
【００３２】
以下、この順にディスクカートリッジ１０の概略全体構成を説明し、次いで、本発明の要部について詳細構造を説明する。
【００３３】
（ディスクカートリッジの全体構成）
図２に示すように、ディスクメディア１２は、その軸心部に図示しないディスクドライブ装置の回転スピンドル軸に係合保持されるセンタ孔１２Ａを有すると共に、その下面に形成された記録面１２Ｂがカバー層（何れも図示省略）にて被覆保護されている。
【００３４】
記録面１２Ｂは、ディスクメディア１２の下面における外周近傍及びセンタ孔１２Ａ周りの所定範囲を除く部分に環状に形成されており、ディスクメディア１２の下面におけるセンタ孔１２Ａと記録面１２Ｂとの間の領域は、ドライブ装置の回転スピンドル軸がディスクメディア１２を保持するためのチャッキングエリア１２Ｃとされている。なお、本実施の形態では、ディスクメディア１２の直径（外径）は略１２０ｍｍとされている。
【００３５】
一方、ディスクメディア１２を収容するケース１４は、上シェル２４と下シェル２６とを接合して略矩形の扁平容器状に構成されている。具体的には、ケース１４は、平面視で前縁部が左右略対称の円弧状に形成されると共に、後端両角隅部が斜めに切り欠かれたような形状とされており、この形状によってドライブ装置の誤装填を防止するようになっている。
【００３６】
以下、ケース１４について具体的に説明する。
【００３７】
図４に示される如く、上シェル２４は、平面視でケース１４の形状に対応した形状の天板２８と、天板２８の外縁に略沿って下方に立設された周壁３０とを備えている。天板２８の右端部には、右側の周壁３０よりも右方に張り出した上側溝壁３２が前後方向の略全長に亘り延設されている。この上側溝壁３２は、図５に示す下シェル２６の後述する下側溝壁４８と共にケース１４の右側部に前後方向に長手でかつ前方及び右方に開口するガイド溝５０を構成するようになっている。
【００３８】
また、天板２８の下面における周壁３０の内側には、底面視で円環状に形成された内壁３４が立設している。ここで、上シェル２４は、内壁３４の内側にディスクメディア１２を収容するようになっており、内壁３４の外周面は、図２に示すインナロータ２０の後述する環状壁７２が周方向に摺動可能に嵌合するガイド面とされている。
【００３９】
また、周壁３０には、上シェル２４の右側部の前後方向中央部を切り欠いた切欠き部３０Ａが設けられており、この切欠き部３０Ａが下シェル２６の後述する切欠き部４４Ａと共に、インナロータ２０を外部（ガイド溝５０）に露出させるシャッター操作窓５２を構成するようになっている。
【００４０】
さらに、天板２８の下面における右前角隅部からは、図２に示すロック部材２２を揺動可能に軸支するロック支軸３６が突設されている。このロック支軸３６は周壁３０と内壁３４との間に位置しており、ロック支軸３６の後方でかつ切欠き部３０Ａの前方には、周壁３０を切り欠いて切欠き部３０Ｂが形成されている。切欠き部３０Ｂは、下シェル２６の後述する切欠き部４４Ｂと共に、ロック部材２２の解除操作部８８をガイド溝５０に突出させるためのロック解除窓５４を構成するようになっている。
【００４１】
また、天板２８の下面におけるロック支軸３６の左方には、第１ストッパ３８が前側の周壁３０から連続して立設されており、インナロータ２０の閉塞側の回動規制用とされている。また、天板２８の下面後端近傍における左右方向中央部よりも若干右側部分には、第２ストッパ４０が後側の周壁３０から連続して設けられており、インナロータ２０の開放側の回動規制用とされている。
【００４２】
一方、図２及び図５に示される如く、下シェル２６は、上シェル２４の、天板２８に略対応した形状の底板４２と、周壁３０に略対応した形状の周壁４４とを備えている。底板４２には、上記開口１６が設けられている。開口１６は、ディスクメディア１２のセンタ孔１２Ａの外径より大径でかつチャッキングエリア１２Ｃの外径（記録面１２Ｂの内径）よりも若干小径とされた略円形状のハブ孔１６Ａと、ハブ孔１６Ａの左右方向に沿う中心線の前方に連設された略矩形状の記録再生ヘッド用窓部１６Ｂとで構成され、全体として前方に開口する略Ｕ字状に形成されている。
【００４３】
ハブ孔１６Ａは、上シェル２４と下シェル２６とが接合された状態で、内壁３４内に収容されたディスクメディア１２と略同軸となるように配置されている。ハブ孔１６Ａは、上記寸法とされることで、センタ孔１２Ａ及びチャッキングエリア１２Ｃのみを外部に露出し、記録面１２Ｂを外部に露出しない構成とされている。
【００４４】
また、記録面１２Ｂを露出するための記録再生ヘッド用窓部１６Ｂは、その左縁がハブ孔１６Ａの前後方向に沿う接線よりも左方に位置するように拡幅されており、その前部は周壁４４をも切り欠いて下シェル２６の前方にも開口している。
【００４５】
ハブ孔１６Ａには、ドライブ装置の回転スピンドル軸が進入してディスクメディア１２のセンタ孔１２Ａを係合保持しつつ該ディスクメディア１２を回転駆動するようになっており、記録再生ヘッド用窓部１６Ｂには、ドライブ装置の記録再生ヘッドが進入してディスクメディア１２の記録面１２Ｂに対する情報の記録または再生を行なうようになっている。
【００４６】
そして、記録再生ヘッド用窓部１６Ｂが前方にも開口していることによって、記録再生ヘッドが記録面１２Ｂの外周部まで容易にアクセスすることができるようになっている。なお、ハブ孔１６Ａと記録再生ヘッド用窓部１６Ｂとは、互いに独立して設けられても良い。
【００４７】
この底板４２における記録再生ヘッド用窓部１６Ｂの左右両縁部の前端近傍には、それぞれ前端が周壁４４に連続する防塵リブ４６が立設されている。各防塵リブ４６は、その高さがシャッター部材１８の厚みと同等とされており、それぞれの上面をインナロータ２０が摺動するようになっている。また、各防塵リブ４６の後端部は、開口１６を閉塞しているシャッター部材１８にそれぞれ接触するように、それぞれの位置が決められている。
【００４８】
また、底板４２の右端部には、右側の周壁４４よりも右方に張り出した下側溝壁４８が前後方向の略全長に亘り延設されている。この下側溝壁４８が図４に示す上シェル２４の上側溝壁３２と対向して、ケース１４の右側部にガイド溝５０が形成される構成である。
【００４９】
このガイド溝５０は、上シェル２４と下シェル２６との接合によって互いに上下端面を突き当てられた周壁３０、４４の溝底とされており、上記の通りケース１４の前後方向に長手でかつ前方及び右方に開口すると共に本実施の形態では後方にも開口している。
【００５０】
さらに、下シェル２６の右側部における周壁４４には、周壁３０の切欠き部３０Ａに対応して形成された切欠き部４４Ａと、切欠き部３０Ｂに対応して形成された切欠き部４４Ｂとが設けられている。
【００５１】
これにより、上シェル２４と下シェル２６とを接合したケース１４には、ガイド溝５０の溝底における長手方向中央部で開口するシャッター操作窓５２と、シャッター操作窓５２の前方でガイド溝５０の溝底に開口するロック解除窓５４とが形成される構成である。
【００５２】
また、底板４２における開口１６を挟む左右両側には、それぞれカム突起５６が突設されている。一対のカム突起５６は、ハブ孔１６Ａの軸心、より正確にはインナロータ２０の回転中心に対し互いに対称となる位置に配置されている。
【００５３】
これらのカム突起５６は、それぞれ異なるシャッター部材１８のカム溝６６（後述）に入り込んで該カム溝６６と共に確動カムを構成し、ケース１４とインナロータ２０との相対回転によってシャッター部材１８を開口１６の閉塞位置と開放位置との間で移動させるようになっている。
【００５４】
以上説明した下シェル２６は、周壁４４の上端面を周壁３０の下端面に突き当てた状態で、ビス止めによって上シェル２４に接合されてケース１４を構成している。なお、上シェル２４と下シェル２６とは、ビス止めに代えて、例えば周壁３０、４４を超音波溶着等によって接合しても良い。
【００５５】
一方、図３に示される如く、一対のシャッター部材１８は、それぞれ略半円平板状に形成されており、互いの弦部である突合せ部６０、６２を突き合せて、下シェル２６に形成された開口１６の一部を閉塞可能とされている。
【００５６】
すなわち、一対のシャッター部材１８は、互いの突合せ部６０、６２を突き合せてハブ孔１６Ａ及び記録再生ヘッド用窓部１６Ｂの前端近傍の一部を除く部分を閉塞する閉塞位置（図７参照）と、各突合せ部６０、６２を開口１６の左右の縁部に略一致させて開口１６を開放する開放位置（図９参照）とを取り得るように形成されている。
【００５７】
ここで、閉塞位置に配置された一対のシャッター部材１８は、互いの突合せ部６０、６２を上下に重ね合わせてケース１４内への塵芥の侵入を確実に阻止するようになっている。
【００５８】
具体的には、各シャッター部材１８の突合せ部６０、６２には段部６３が形成されており、該段部６３を境にして長手方向一方側には上面に沿った薄肉部である庇部６５が形成されると共に、他方側には下面に沿った薄肉部である庇部６７が形成されている。
【００５９】
そして、一対のシャッター部材１８が閉塞位置に配置されたときには、一方のシャッター部材１８の庇部６５の下側に他方のシャッター部材１８の庇部６７が重ね合わされると共に、一方のシャッター部材１８の庇部６７の上側に他方のシャッター部材１８の庇部６５が重ね合わされるようになっている。ここで、各庇部６５、６７の相手方との重ね合わせ面は、該相手方を誘い込むように緩やかな傾斜面とされている。
【００６０】
一方、各シャッター部材１８の弦部の長手方向一端部近傍には、それぞれ軸孔６４が設けられており、各軸孔６４はシャッター部材１８のインナロータ２０への軸支用とされている。また、各シャッター部材１８には、下シェル２６に形成されたカム突起５６が入り込むカム溝６６がそれぞれ設けられている。各カム溝６６は、それぞれのシャッター部材１８における軸孔６４の軸心を通る直線方向に長手の直線スリット状に形成されており、かつ組付状態で互いに平行となるように設けられている。
【００６１】
すなわち、各カム溝６６は、各カム突起５６と同様に、インナロータ２０の回転中心に対し互いに対称となるように設けられている。また、各カム溝６６は、シャッター部材１８を板厚方向に貫通しており、カム突起５６との係合深さを確保するようになっている。
【００６２】
さらに、少なくとも一方のシャッター部材１８には、弧部から張り出した防塵部６８が設けられている。この防塵部６８は、該一方のシャッター部材１８が閉塞位置に配置されたとき、開口１６の右縁側に位置する防塵リブ４６の後端面に当接し底板４２の上面とインナロータ２０の円板部７０（後述）の下面との隙間を埋めるようになっている（図７参照）。
【００６３】
また、この一方のシャッター部材１８における軸孔６４近傍の端部が、閉塞位置に配置されたときに他方の防塵リブ４６の後端面に当接し、底板４２上面と円板部７０下面との隙間を埋めるようになっている。なお、防塵部６８は、各シャッター部材１８にそれぞれ設けても良い。
【００６４】
一方、図２及び図３に示すように、インナロータ２０は、円板状に形成された円板部７０と、円板部７０の外周に沿って上方に立設された環状壁７２とを備えている。また、円板部７０には、開口１６とほぼ同じ形状の開口７４が設けられており、開口７４は、その円板部７０の外周側の端部において、環状壁７２の下部を下シェル２６の周壁４４の高さに相当する分だけ切り欠いてインナロータ２０の径方向外側にも開口している。
【００６５】
このインナロータ２０は、上記の通り上シェル２４の内壁３４に周方向に摺動可能に外嵌し、ケース１４に対しディスクメディア１２とは独立して回転可能に支持される構成である。そして、インナロータ２０は、この回転（回動）によって、ケース１４の底板４２との間に配置される一対のシャッター部材１８を、これらの間で摺動させつつ閉塞位置と開放位置との間を移動させるようになっている。
【００６６】
また、円板部７０の下面におけるインナロータ２０の回転中心に対し対称となる２箇所からはそれぞれ支持突起７６が突設されており、各支持突起７６にはそれぞれ異なるシャッター部材の軸孔６４が回転自在に嵌合している。
【００６７】
すなわち、各シャッター部材１８は、インナロータ２０にそれぞれの支持突起７６廻りに回動自在に軸支されており、それぞれの支持突起７６廻りに回動して閉塞位置と開放位置とを取り得るようになっている。
【００６８】
上記の如く各シャッター部材１８のカム溝６６にケース１４のカム突起５６が入り込んでそれぞれ確動カムを構成し、ケース１４に対するインナロータ２０の相対回転によって、一対のシャッター部材１８が閉塞位置と開放位置との間で駆動されるようになっている。
【００６９】
具体的には、図７に示される如く、一対のシャッター部材１８が閉塞位置に配置されると、インナロータ２０は、その開口７４が開口１６に対し左側に所定角度（略５０°乃至６０°）ずれた位置に回転しており、その円板部７０及び環状壁７２によって開口１６の前部（シャッター部材１８によって閉塞されない部分）を内側から閉塞している。このとき、各カム突起５６がそれぞれカム溝６６の軸孔６４から遠い方の端部に入り込んでいる。
【００７０】
この状態から図８に示される如くインナロータ２０をケース１４に対し矢印Ｄ方向に回動させると、各シャッター部材１８は、それぞれのカム溝６６の溝壁がカム突起５６によって矢印Ｄとは略反対向きの矢印Ｅ方向に押圧され、それぞれの支持突起７６廻りに互いに離間する方向に回動する構成である。
【００７１】
そして、図９に示される如く、インナロータ２０が開口７４をケース１４の開口１６と一致させる位置まで回動すると、各シャッター部材１８の突合せ部６０、６２が開口１６、７４の左右の縁部に略一致して配置され、開口１６が完全に開放される（各シャッター部材１８が開放位置に至る）構成である。この状態では、各カム突起５６がそれぞれカム溝６６の軸孔６４から近い方の端部に入り込んでいる。
【００７２】
一方、この開口１６の開放状態からインナロータ２０を矢印Ｄとは反対向きの矢印Ｆ方向に回動すると、上記の動作とは逆の動作によって、一対のシャッター部材１８が閉塞位置（図７に示す状態）に復帰するようになっている。
【００７３】
これらの図７乃至図９から判るように、一対のシャッター部材１８は、ケース１４に対してはインナロータ２０の回動に伴う回動と該インナロータ２０に対する支持突起７６廻りの回動とを重ね合わせた運動を行なうが、シャッター部材１８同士で見ると、互いの突合せ部６０、６２（互いのカム溝６６）を平行に維持したまま互いに接離する構成とされている。
【００７４】
なお、本実施の形態では、図３に示すように、インナロータ２０の円板部７０の下面に、インナロータ２０の軸心部を中心とする一対の円弧溝１０２が凹設されているが、これについては後述する。
【００７５】
図６及び図７に示される如く、インナロータ２０の環状壁７２の外周部における周方向の一部には、被駆動ギヤ部７８が径方向外側に突出して設けられている。被駆動ギヤ部７８は、その一部がシャッター操作窓５２からガイド溝５０内へ突出している。
【００７６】
そして、被駆動ギヤ部７８は、上記シャッター部材１８を閉塞位置と開放位置との間で移動させるインナロータ２０の回動範囲において、該ガイド溝５０内を長手方向に移動するドライブ装置側の開閉部材である駆動ラック１００が、常に噛み合い可能となる範囲に設けられている。本実施の形態では、シャッター部材１８を閉塞位置に配置させたときに、ロック部材２２の後述する係合部８６が係合（噛み合い）可能な範囲まで、被駆動ギヤ部７８が設けられている。
【００７７】
これにより、駆動ラック１００がガイド溝５０内をケース１４に対し後方に移動すると、インナロータ２０が矢印Ｄ方向に回動して開口１６が開放され、駆動ラック１００がガイド溝５０内をケース１４に対し前方に移動すると、インナロータ２０が矢印Ｆ方向に回動して開口１６が閉塞される構成とされている。
【００７８】
また、環状壁７２から外側に突出した被駆動ギヤ部７８における矢印Ｆ側の端部は、閉塞側ストッパ部８０とされている。閉塞側ストッパ部８０は、シャッター部材１８が閉塞位置に配置されたときに、ケース１４の第１ストッパ３８と当接してインナロータ２０が閉塞位置を超えて矢印Ｆ方向に回動することを防止するようになっている（図７参照）。
【００７９】
一方、環状壁７２の外面における被駆動ギヤ部７８に対し矢印Ｄ側に所定距離（角度）だけ離間した位置からは、開放側ストッパ部８２が突設されている。開放側ストッパ部８２は、シャッター部材１８が開放位置に配置されたときに、ケース１４の第２ストッパ４０と当接してインナロータ２０が開放位置を超えて矢印Ｄ方向に回動することを防止するようになっている（図９参照）。
【００８０】
ところで、ロック部材２２は、平面視で略「へ」字状乃至略「く」字状に形成された本体部８４を備えている。本体部８４は、その屈曲部近傍においてケース１４のロック支軸３６に嵌合されており、ケース１４に対し該ロック支軸３６廻りの揺動可能に支持されている。
【００８１】
本体部８４の一端部は、インナロータ２０の被駆動ギヤ部７８に噛み合い可能な係合部８６とされており、ロック部材２２は、係合部８６が被駆動ギヤ部７８に噛み合った状態でインナロータ２０のケース１４に対する回動を阻止する構成である。
【００８２】
また、本体部８４の他端部は、該本体部８４のロック支軸３６廻りの回動に伴ってロック解除窓５４からガイド溝５０に対し進退する解除操作部８８とされている。ロック部材２２は、係合部８６が被駆動ギヤ部７８に噛み合った状態で解除操作部８８をガイド溝５０内へ突出させるようになっており、ガイド溝５０内を後方に移動する駆動ラック１００によって解除操作部８８が後方へ押圧されると、本体部８４が矢印Ｇ方向に揺動して係合部８６の被駆動ギヤ部７８との噛み合いを解除する構成である（図８参照）。
【００８３】
さらに、本体部８４の屈曲部近傍からは、その係合部８６側部分の前側に並行するように板ばね部９０が延設されている。板ばね部９０は、本体部８４に近接する方向に弾性変形した状態でケース１４の前側の周壁３０に当接しており、本体部８４を矢印Ｇとは反対方向に常に付勢するようになっている。この板ばね部９０の付勢力によって、ロック部材２２は係合部８６と被駆動ギヤ部７８との噛み合いを維持するようになっている。
【００８４】
これにより、不使用時には、インナロータ２０の回動が阻止され、一対のシャッター部材１８による開口１６の閉塞状態が維持される構成である。また、上記の如き駆動ラック１００によるロック解除状態から解除操作部８８と駆動ラック１００との係合が解除されると、ロック部材２２は、板ばね部９０の付勢力によって係合部８６を被駆動ギヤ部７８に噛み合わせるロック状態に復帰するようになっている。
【００８５】
次に、上記構成によるディスクカートリッジ１０の作用について説明する。
【００８６】
このディスクカートリッジ１０では、図７に示される如く、保管時や運搬時等の不使用時には一対のシャッター部材１８が閉塞位置に配置されて開口１６を閉塞している。この状態でロック部材２２の係合部８６がインナロータ２０の被駆動ギヤ部７８に係合し、該インナロータ２０の矢印Ｄ方向への回動が阻止されており、一対のシャッター部材１８が閉塞位置に保持されている。すなわち、開口１６の閉塞状態が維持されている。
【００８７】
また、ディスクカートリッジ１０を使用する際、すなわちディスクメディア１２に情報を記録する際またはディスクメディア１２に記録された情報を再生する際には、ディスクカートリッジを矢印Ａ方向に沿ってドライブ装置に装填する。この装填動作（ディスクカートリッジ１０とドライブ装置との相対移動）に伴って、ドライブ装置の駆動ラック１００がケース１４のガイド溝５０に入り込み、該ガイド溝５０内を相対的に後方へ移動する。
【００８８】
これにより、図８に示される如く、ロック部材２２の解除操作部８８が駆動ラック１００によって押圧され、ロック部材２２は、板ばね部９０の付勢力に抗して本体部８４が矢印Ｇ方向に揺動する。
【００８９】
このため、係合部８６の被駆動ギヤ部７８との係合状態が解除され、インナロータ２０が回動可能状態となる。駆動ラック１００が解除操作部８８との当接状態を維持しつつさらに後方へ移動すると、該駆動ラック１００は被駆動ギヤ部７８と噛み合いながらインナロータ２０を矢印Ｄ方向に回動させる。
【００９０】
このインナロータ２０の矢印Ｄ方向への回動によって、一対のシャッター部材１８が矢印Ｄ方向の回動に追従しつつ、カム溝６６の溝壁がケース１４のカム突起５６に押圧されて支持突起７６廻りに矢印Ｅにも回動する。
【００９１】
すなわち、一対のシャッター部材１８が開口１６の開放方向にそれぞれ移動する。そして、ディスクカートリッジ１０が所定深さまでドライブ装置に装填され駆動ラック１００との相対移動がなくなると、図９に示される如く、一対のシャッター部材１８は開放位置に至り、開口１６が完全に開放される。
【００９２】
この状態からインナロータ２０をさらに矢印Ｄ方向に回動しようとすると、該インナロータ２０の開放側ストッパ部８２がケース１４の第２ストッパ４０に当接し、インナロータ２０の開放位置を超えた矢印Ｄ側への回動が阻止される。
【００９３】
次いで、ドライブ装置内ではディスクカートリッジ１０が位置決めされ、この位置決め状態で開口１６のハブ孔１６Ａからはドライブ装置の回転スピンドル軸が進入し、該回転スピンドル軸がディスクメディア１２のセンタ孔１２Ａ（及びチャッキングエリア１２Ｃ）に係合して該ディスクメディア１２を保持する。そして、回転スピンドル軸が回転すると、ディスクメディア１２がケース１４内で非接触で回転駆動される。
【００９４】
また、開口１６の記録再生ヘッド用窓部１６Ｂからはドライブ装置の記録再生ヘッドが進入する。この記録再生ヘッドによって、ディスクメディア１２の記録面１２Ｂに情報が記録され、または記録面１２Ｂに記録された情報が再生される（ディスクメディア１２が使用される）。
【００９５】
ディスクメディア１２の使用後には、ディスクカートリッジ１０がドライブ装置から排出される。この排出動作に伴って、駆動ラック１００がガイド溝５０内を相対的に前方へ移動する。この駆動ラック１００の移動によってインナロータ２０が矢印Ｆ方向へ回動し、一対のシャッター部材１８が閉塞側へ移動する（図８参照）。
【００９６】
そして、駆動ラック１００が被駆動ギヤ部７８との噛み合いが解除される位置まで移動すると、図７に示される如く、一対のシャッター部材１８が閉塞位置へ至り、開口１６が完全に閉塞される。
【００９７】
この状態からインナロータ２０をさらに矢印Ｆ方向に回動しようとすると、該インナロータ２０の閉塞側ストッパ部８０がケース１４の第１ストッパ３８に当接し、インナロータ２０の閉塞位置を超えた矢印Ｆ側への回動が阻止される。
【００９８】
駆動ラック１００が前方へ移動してロック部材２２の解除操作部８８との係合状態が解除されると、ロック部材２２の本体部８４は板ばね部９０の付勢力によって矢印Ｇとは反対方向に揺動し、係合部８６が被駆動ギヤ部７８に係合する。これにより、インナロータ２０の回動が阻止され、一対のシャッター部材１８が閉塞位置に保持される初期状態に復帰する。この状態でディスクカートリッジ１０はドライブ装置から完全に排出される。
【００９９】
次に、本形態に係るディスクカートリッジの要旨について説明する。
【０１００】
図３及び図１０に示すように、インナロータ２０の円板部７０の下面には、シャッター部材１８の開閉に伴うインナロータ２０の回動範囲内で、シャッター部材１８に形成されたカム溝６６を貫通したカム突起５６の先端部に対面し、インナロータ２０の軸心部を中心にカム突起５６の先端部の形状に対応させて断面が矩形状の一対の円弧溝１０２を凹設して、インナロータ２０にカム突起５６の先端部が接触しないようにしている。
【０１０１】
図１１に示すように、インナロータ２０に円弧溝１０２を凹設しなかった場合、カム突起５６等の寸法精度等を考慮し、カム突起５６の先端部が円板部７０と接触しないようにするためには、カム突起５６の先端部をシャッター部材１８のインナロータ２０側の面１８Ａ（以下、「シャッター部材１８の裏面１８Ａ」という）よりも若干低く設定する必要がある。
【０１０２】
このため、カム溝６６に対するカム突起５６の係合状態が甘くなり、シャッター部材１８の閉止状態においてシャッター部材１８を手で圧したり、落下等によりディスクカートリッジ１０が衝撃を受けたりすると、カム突起５６がシャッター部材１８のカム溝６６から外れてしまい、シャッター部材１８の開閉ができなくなることがある。
【０１０３】
しかし、図１０に示すように、インナロータ２０の円板部７０の下面に、円弧溝１０２を凹設し、カム突起５６の先端部５６Ａとの接触を避けるようにすることで、カム突起５６を長くすることができ、カム突起５６をカム溝６６に完全に貫通（カム突起５６の先端部をシャッター部材１８の裏面１８Ａから突出）させることができる。
【０１０４】
このため、カム突起５６とカム溝６６との係合深さを増大させることができ、シャッター部材１８の肉厚等を変えることなく、カム溝６６とカム突起５６との係合状態をきつくすることができる。これにより、カム突起５６とカム溝６６との係合状態が、容易に解除されないようにすることができる。なお、ここでは、インナロータ２０の円板部７０の下面に円弧溝１０２を凹設したが、円弧溝は、貫通穴であっても良い。
【０１０５】
また、図１２に示すように、カム突起５６の先端部に、カム溝６６の幅よりも大きい抜け止め部１０４を設け、抜け止め部１０４をカム溝６６へ圧入して、抜け止め部１０４がカム溝６６から抜けないようにしても良い。このとき、抜け止め部１０４の下面１０４Ａとシャッター部材１８の裏面１８Ａとは、接触しないようにする。
【０１０６】
また、抜け止め部１０４の断面を弓形状とすることで、円弧溝１０５の深さを円弧溝１０５の幅方向に沿って徐々に深くすることができるため、円弧溝１０５の幅を広くしても、インナロータ２０の円板部７０の強度を確保することができる。
【０１０７】
ところで、図示はしないが成形品を成形する金型では、金型内の成形品を離型しやすくするため、抜き勾配を設ける。例えば、図１３(Ａ)に示すように、シャッター部材１８のカム溝６６の内縁部の場合、シャッター部材１８の表面１８Ｂ側（意匠面側）と裏面１８Ａ側とでは、表面１８Ｂ側の方がカム溝６６の幅は大きくなるように抜き勾配６６Ａが設けられている。
【０１０８】
この状態で、図１３（Ｂ）に示すように、カム溝６６にカム突起５６を係合させると、カム突起５６の基部５６Ｂ側がシャッター部材１８の表面１８Ｂ側となり、カム突起５６の先端部５６Ａから基部５６Ｂにかけて、カム溝６６が幅広となる。
【０１０９】
このため、カム突起５６の先端部５６Ａ側が一番きつい状態でカム溝６６と係合していることとなるが、下シェル２６とシャッター部材１８とが厚み方向でズレたとき、カム溝６６の一番幅の狭い部分がカム突起５６から抜けてしまうと、カム突起５６とカム溝６６との係合が解除されてしまう恐れがある。
【０１１０】
一方、図１４に示すように、カム溝６６の幅の狭い方からカム突起５６を挿入すると、カム突起５６の基部５６Ｂ側が、カム溝６６の一番幅の狭い部分となる。このため、下シェル２６とシャッター部材１８とが厚み方向で若干ズレたとしても、カム溝６６の一番狭い部分がカム突起５６からは容易には抜けない。このように、カム溝６６の抜き勾配６６Ａを利用して、カム溝６６とカム突起５６との係合状態が解除され難くすることができる。
【０１１１】
ここで、カム溝６６の幅の狭い方からカム突起５６を挿入するということは、シャッター部材１８の裏面１８Ａ側が意匠面（開口１６から露出する面）ということになる。通常、成形品の裏面側は金型からの離型時に可動側金型に配設された突出しピン等で押圧されるため、突出しピンの痕が残ることになる。このため、突出しピンの痕が意匠面に露出することになると、製品の美観が損なわれることとなる。
【０１１２】
しかし、シャッター部材１８の場合、図３に示すように、開口１６から露出するのは領域１０６、１０８の部分であり、領域１０６、１０８以外の部分は、下シェル２６により覆われているため、外観に露出することはない。
【０１１３】
従って、領域１０６、１０８以外の部分に突出しピンを当接させ、シャッター部材１８を金型から離型させるようにする。これにより、シャッター部材１８の裏面１８Ａ側が意匠面となっても、突出しピンの痕が意匠部分に露出することはなく、製品の美観が損なわれることはない。
【０１１４】
また、図１４に示すように、カム突起５６の外周面にシボ１１０を形成しても良い。これにより、カム突起５６とカム溝６６との摩擦係数を増大させ、さらにカム突起５６とカム溝６６との係合状態をきつくすることができ、カム溝６６からカム突起５６を外れ難くすることができる。
【０１１５】
なお、ここでは、図１０に示すように、インナロータ２０の円板部７０の下面に、円弧溝１０２を形成し、カム突起５６の先端部との接触を避けるように凹設して、カム溝６６からカム突起５６を外れ難くする方法と、図１４に示すように、カム溝６６の幅の狭い方からカム突起５６を挿入して、カム溝６６からカム突起５６を外れ難くする方法をそれぞれ説明したが、これらの方法をディスクカートリッジに同時に適用させても良い。
【０１１６】
さらに、上記の実施の形態では、一対のシャッター部材１８がインナロータ２０に支持されて該インナロータ２０の回動に伴って互いに平行に移動しつつ開口１６を開閉する構成としたが、本発明は、それぞれ平板状に形成された一対のシャッター部材１８が端部（端面）を重ね合わせて当接することで開口１６を閉塞すれば足りるため、シャッター部材１８の形状や駆動機構等によって限定されることはない。
【０１１７】
したがって、例えば、それぞれ平面視矩形状に形成された一対のシャッター部材が開口１６の左右反対向きに移動（接離）して開口１６を開閉するようにしても良く、互いに異形のシャッター部材を異なる方向に移動させて開口１６を開閉するようにしても良い。
【０１１８】
さらにまた、上記の実施の形態では、ケース１４の下方にのみ開口１６が形成された構成としたが、本発明はこれに限定されず、例えば、上下両面に記録面１２Ｂが設けられたディスクメディアを収容するケース１４では、天板２８にも一対のシャッター部材１８にて開閉される開口１６を設けても良い。一方、下面のみに記録面１２Ｂが設けられたディスクメディア１２を収容するケース１４では、天板２８にディスクメディア１２の交換を可能とする交換用開口を設けても良い。
【０１１９】
また、上記の実施の形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。
【図面の簡単な説明】
【０１２０】
【図１】本発明の実施の形態に係るディスクカートリッジの外観を示す斜視図である。
【図２】本発明の実施の形態に係るディスクカートリッジの分解斜視図である。
【図３】本発明の実施の形態に係るディスクカートリッジを構成するインナロータ等を下から見た分解斜視図である。
【図４】本発明の実施の形態に係るディスクカートリッジを構成する上シェルの底面図である。
【図５】本発明の実施の形態に係るディスクカートリッジを構成する下シェルの平面図である。
【図６】本発明の実施の形態に係るディスクカートリッジを構成するインナロータ及びシャッター部材を下方から見た斜視図である。
【図７】本発明の実施の形態に係るディスクカートリッジの開口閉塞状態を示す下シェルを取り除いて見た底面図である。
【図８】本発明の実施の形態に係るディスクカートリッジの開口の閉塞または開放過程を示す下シェルを取り除いて見た底面図である。
【図９】本発明の実施の形態に係るディスクカートリッジの開口開放状態を示す下シェルを取り除いて見た底面図である。
【図１０】本発明の実施の形態に係るディスクカートリッジを構成するカム突起とカム溝との係合状態を示す断面図である。
【図１１】従来のディスクカートリッジのカム突起とカム溝との係合状態を示す断面図である。
【図１２】本発明の実施の形態に係るディスクカートリッジを構成するカム突起とカム溝との係合状態を示す断面図であり、カム突起の変形例を示している。
【図１３】（Ａ）はシャッター部材のカム溝の断面図を示し、（Ｂ）は、従来のディスクカートリッジにおいて、カム突起とカム溝との係合状態を示す断面図である。
【図１４】本発明の実施の形態に係るディスクカートリッジを構成するカム突起とカム溝との係合状態を示す断面図である。
【符号の説明】
【０１２１】
１０    ディスクカートリッジ
１２    ディスクメディア
１４    ケース
１６    開口（第１開口部）
１８    シャッター部材（シャッター）
２０    インナロータ
５６    カム突起（ガイド突起）
６６    カム溝（カム穴）
６６Ａ  抜き勾配
７４    開口（第２開口部）
１０２  円弧溝（逃げ溝）
１０４  抜け止め部
１１０  シボ
【図１】
2005116116.tif 000003
【図２】
2005116116.tif 000004
【図３】
2005116116.tif 000005
【図４】
2005116116.tif 000006
【図５】
2005116116.tif 000007
【図６】
2005116116.tif 000008
【図７】
2005116116.tif 000009
【図８】
2005116116.tif 000010
【図９】
2005116116.tif 000011
【図１０】
2005116116.tif 000012
【図１１】
2005116116.tif 000013
【図１２】
2005116116.tif 000014
【図１３】
2005116116.tif 000015
【図１４】
2005116116.tif 000016